(57)【要約】【課題】面材が損傷しにくい建具を提供する。【解決手段】室内外を仕切る面材と、前記面材を収容する収容部を有する面材収容部材と、を有する建具であって、前記収容部は、前記面材の面内方向における外周端面と対向する見込部と、前記面材の室外側の面と対向する室外側見付部と、前記面材の室内側の面と対向する室内側見付部と、から構成され、前記面材収容部材は、室内または室外のうちの一方側に配置される金属製収容部材と、他方側に配置され、前記金属製収容部材とともに前記収容部を形成する非金属製収容部材とを有し、前記面材を介して前記金属製収容部材と対向する部位を有し、前記見込部の前記面内方向外側にて前記金属製収容部材に取り付けられる金属製の面材狭持部材と、を有する。【選択図】図４
2012082584.tif 000002
【特許請求の範囲】
【請求項１】
室内外を仕切る面材と、前記面材を収容する収容部を有する面材収容部材と、を有する建具であって、
前記収容部は、前記面材の面内方向における外周端面と対向する見込部と、前記面材の室外側の面と対向する室外側見付部と、前記面材の室内側の面と対向する室内側見付部と、を有し、
前記面材収容部材は、前記見込部と前記室外側見付部とを有する金属製収容部材と、前記室内側見付部を有し前記金属製収容部材とともに前記収容部を形成する非金属製収容部材と、を有しており、
前記面材は、当該面材を介して前記金属製収容部材と対向する部位を有し前記見込部の前記面内方向外側にて前記金属製収容部材に取り付けられる金属製の面材狭持部材と、金属製収容部材と、にて狭持されていることを特徴とする建具。
【請求項２】
請求項１に記載の建具であって、
前記見込部は、当該見込部の前記面内方向外側の部位から前記面内方向外側に向って延出する延出壁部を有し、
前記面材狭持部材は、前記延出壁部に係合または固定されていることを特徴とする建具。
【請求項３】
請求項１又は請求項２に記載の建具であって、
前記金属製収容部材は、前記見込部の前記面内方向外側に、前記非金属製収容部材が挿入されて嵌合される挿入凹部を有し、
前記面材狭持部材は、前記挿入凹部内に挿入されるとともに前記非金属製収容部材より前記面材側に配置されることを特徴とする建具。
【請求項４】
請求項３に記載の建具であって、
前記延出壁部は、前記挿入凹部を構成することを特徴とする建具。
【発明の詳細な説明】
【技術分野】
【０００１】
本発明は、面材を有する建具に関する。
【背景技術】
【０００２】
面材を有する建具としては、金属枠体と樹脂枠体が結合された複合枠体の金属枠体に嵌合する金属クリップにて、面材に相当するパネル体を係止して、火災の熱による樹脂枠体の溶融によりパネル体が脱落することを防止する建具が知られている（例えば、特許文献１参照）。
【０００３】
このような建具は、複合枠体に設けられ、パネル体の周端部が保持される凹部に突出された凸状部に金属クリップの係止片が嵌合されて取り付けられている。
【先行技術文献】
【特許文献】
【０００４】
【特許文献１】特開２００１−１４０５４７号公報
【発明の概要】
【発明が解決しようとする課題】
【０００５】
しかしながら、上記のような建具は、金属クリップがパネル体の周端部が保持される凹部に凸状部や係止片が配置されるので、建具の製造時や施工時に面材が移動すると凸状部や係止片と接触し、面材を損傷する虞があるという課題がある。
【０００６】
本発明は、かかる課題に鑑みてなされたものであり、その目的とするところは、面材が損傷しにくい建具を提供することにある。
【課題を解決するための手段】
【０００７】
かかる目的を達成するために本発明の建具は、室内外を仕切る面材と、前記面材を収容する収容部を有する面材収容部材と、を有する建具であって、前記収容部は、前記面材の面内方向における外周端面と対向する見込部と、前記面材の室外側の面と対向する室外側見付部と、前記面材の室内側の面と対向する室内側見付部と、を有し、前記面材収容部材は、前記見込部と前記室外側見付部とを有する金属製収容部材と、前記室内側見付部を有し前記金属製収容部材とともに前記収容部を形成する非金属製収容部材と、を有しており、前記面材は、当該面材を介して前記金属製収容部材と対向する部位を有し前記見込部の前記面内方向外側にて前記金属製収容部材に取り付けられる金属製の面材狭持部材と、金属製収容部材と、にて狭持されていることを特徴とする建具である。
【０００８】
このような建具によれば、面材は、金属製収容部材と、金属製収容部材に取り付けられる金属製の面材狭持部材の、金属製収容部材と対向する部位との間に介在されるので、たとえ非金属製収容部材が火炎等に晒されて溶融しても、面材が脱落することを防止することが可能である。また、面材狭持部材は、収容部の、面材の面材方向における外側にて金属製収容部材に取り付けられているので、面材が収容される収容部内には、面材狭持部材と金属製収容部材との取付部等の突出する部位が存在しない。このため、建具の製造時、搬送時、施工時に面材が収容部内で移動することがあっても、面材が突出部等と接触しないので、面材が損傷し難い建具を提供することが可能である。
【０００９】
また、面材が収容される収容部内に面材狭持部材と金属製収容部材との取付部等の突出する部位が存在しないので、収容部及び収容部を有する面材収容部材のサイズを小さくすることが可能である。このため、建具のサイズを小さくしたり、同一サイズの建具において面材をより広く露出させることが可能な建具を提供することが可能である。
【００１０】
かかる建具であって、前記見込部は、当該見込部の前記面内方向外側の部位から前記面内方向外側に向って延出する延出壁部を有し、前記面材狭持部材は、前記延出壁部に係合または固定されていることが望ましい。
【００１１】
このような建具によれば、金属製収容部材にて形成され、面材の外周端面と対向する見込部の、面材の面内方向外側の部位から当該面内方向外側に向って延出する延出壁部に、面材狭持部材が係合または固定されているので、例えば、面材狭持部材が金属製収容部材とがフック部のような係合片により延出壁部に係合されていたとしてもフック部等の係合片が収容部に突出する虞はなく、また、面材狭持部材が金属製収容部材にビス等で固定されたとしてもビスの頭部や先端が収容部内に突出する虞はない。このため、収容部に何ら突出させることなく面材狭持部材を金属製収容部材に取り付けることが可能である。
【００１２】
かかる建具であって、前記金属製収容部材は、前記見込部の前記面内方向外側に、前記非金属製収容部材が挿入されて嵌合される挿入凹部を有し、前記面材狭持部材は、前記挿入凹部内に挿入されるとともに前記非金属製収容部材より前記面材側に配置されることが望ましい。
【００１３】
このような建具によれば、面材狭持部材は、非金属製収容部材が挿入されて嵌合される挿入凹部に挿入されて、非金属製収容部材より面材側に配置されているので、挿入凹部に挿入された面材狭持部材は、金属製収容部材と非金属製収容部材とに狭持される。このため、面材狭持部材を金属製収容部材に安定した状態で取り付けることが可能である。
【００１４】
かかる建具であって、前記延出壁部は、前記挿入凹部を構成することが望ましい。
【００１５】
このような建具によれば、面材狭持部材は、当該面材狭持部材が挿入される挿入凹部を構成する延出壁部に係合又は固定されるので、金属製収容部材に面材狭持部材を取り付けるための部位を別途設ける必要がなく、非金属製収容部材が嵌合される挿入凹部を利用して金属製収容部材に面材狭持部材を取り付けることが可能である。このため、金属製収容部材の形状をより簡単な形状とすることが可能であるとともに、サイズもより小さく抑えることが可能である。
【発明の効果】
【００１６】
本発明によれば、面材が損傷しにくい建具を提供することが可能である。
【図面の簡単な説明】
【００１７】
【図１】本発明の一実施形態に係る建具を説明するための縦断面図である。
【図２】本実施形態に係る建具を説明するための横断面図である。
【図３】複層ガラスの右下隅における框本体への脱落防止金具の取り付け方法を説明するための縦断面図である。
【図４】複層ガラスの右下隅における框本体への脱落防止金具の取り付け方法を説明するための横断面図である。
【図５】本実施形態に係る建具への脱落防止金具の取り付け方法を説明するための斜視図である。
【図６】本実施形態に係る建具に脱落防止金具が取り付けられた状態を示す斜視図である。
【発明を実施するための形態】
【００１８】
以下、本発明に係る建具の一実施形態について図面を参照して説明する。
【００１９】
本実施形態の建具１は、図１、図２に示すように、室内外を仕切る面材としての複層ガラス５を備えた障子１０と、この障子１０が見付け方向に移動自在に取り付けられる枠体３とを備えた引き違い窓用の建具１である。
【００２０】
以下の説明においては、建物等に取り付けられた状態の建具１を室内側から見たときに、枠体３及び障子１０の上下となる方向を上下方向、左右となる方向を左右方向または見付け方向、室内外方向である奥行き方向を見込み方向、面材としての複層ガラス５の室内または室外に臨む面に沿う方向を面内方向、として示す。また、枠体３や障子１０を構成する部材は、単体の状態であっても建具１が建物等に取り付けられた状態で上下方向、見付け方向、見込み方向等となる方向にて方向を特定して説明する。
【００２１】
枠体３は矩形状をなすように、上下の横枠３ａ、３ｂと左右の縦枠３ｃ、３ｄとが枠組みされた四方枠であり、建物の躯体(不図示)に固定されている。障子１０は、室内側に設けられる内障子１０ａと、室外側に設けられる外障子１０ｂとが枠体３に設けられたレールに案内されて移動可能に取り付けられている。
【００２２】
障子１０は、複層ガラス５と、複層ガラス５の周端部分５ａを収容する収容部としてのガラス収容部９ａを有する面材収容部材としての框体９と、金属製の面材狭持部材としての脱落防止部材２５と、を有している。
【００２３】
框体９は、上下の横框１２、１５の室外側の部位と左右の縦框１８、２１の室外側の部位とが矩形状に枠組みされて開口１１ａを形成し矩形状をなす金属製の框本体１１と、上下の横框１２、１５の室内側の部位及び左右の縦框１８、２１の室内側の部位であり、框本体１１に嵌合されて複層ガラス５を框本体１１とともに狭持する４本の樹脂製のガラス保持部材１４、１７、２０、２３と、を有している。即ち、上下の横框１２、１５及び左右の縦框１８、２１は、いずれも室内側の部位と室外側の部位とが複層ガラス５を挟むように嵌合されて構成されている。そして、障子１０は、框本体１１側が室外側に位置し、ガラス保持部材１４、１７、２０、２３側が室内側に位置するように枠体３に取り付けられている。ここで、框本体１１が金属製収容部材に相当し、４本の樹脂製のガラス保持部材１４、１７、２０、２３が非金属製収容部材に相当する。
【００２４】
以下の説明では、上の横框１２の室外側の部位を外上框部１３、下の横框１５の室外側の部位を外下框部１６、左の縦框の１８室外側の部位を外左框部１９、右の縦框２１の室外側の部位を外右框部２２といい、上の横框１２の室内側の部位を上ガラス保持部材１４、下の横框１５の室内側の部位を下ガラス保持部材１７、左の縦框１８の室内側の部位を左ガラス保持部２０、右の縦框２１の室内側の部位を右ガラス保持部材２３ともいう。外上框部１３、外下框部１６、外左框部１９、外右框部２２は、いずれもアルミニウム製の押出成形部材であり、上ガラス保持部材１４、下ガラス保持部材１７、左ガラス保持部２０、右ガラス保持部材２３は、いずれも樹脂製の押出成形部材である。
【００２５】
複層ガラス５は、ビスなどの連結部材やカシメ手段などによって矩形状に連結された框本体１１と、框本体１１の外左框部１９、外右框部２２の上下端部側に嵌合される４つの脱落防止部材２５及び框本体１１の外上框部１３、外下框部１６、外左框部１９、外右框部２２の各々に嵌合される４本のガラス保持部材１４、１７、２０、２３とに狭持される。４本のガラス保持部材１４、１７、２０、２３は、框本体１１に取り付けられると、框本体１１と同様の開口１１ａを形成して矩形状に配置され、框体９の開口１１ａは、複層ガラス５にて覆われている。
【００２６】
複層ガラス５を、框本体１１と４つの脱落防止部材２５及び４本のガラス保持部材１４、１７、２０、２３にて狭持する構造はいずれも同じなので、ここでは、外障子１０ｂにおける複層ガラス５の右下部分、即ち召合せ框側の下部にて框本体１１の外下框部１６及び外右框部２２と下ガラス保持部材１７及び右ガラス保持部材２３にて狭持されている状態を例に挙げて説明する。
【００２７】
以下の説明では、外下框部１６と下ガラス保持部材１７において上側は、矩形状をなす框本体１１の開口１１ａにおける中央側（複層ガラス５の面内方向内側）に相当する。開口１１ａにおける中央側は、例えば外上框部１３では下側、外左框部１９では右側、外右框部２２では左側に相当する。また、外下框部１６及び下ガラス保持部材１７において下は、矩形状をなす框本体１１の開口１１ａにおける外周側（複層ガラス５の面内方向外側）に相当する。開口１１ａにおける外周側は、例えば外上框部１３では上側、外左框部１９では左側、外右框部２２では右側に相当する。
【００２８】
外下框部１６は、図３に示すように、外下框部１６に嵌合される下ガラス保持部材１７とともに複層ガラス５の周端部分５ａを収容するガラス収容部９ａを構成し、収容された複層ガラス５の下側の外周端面としての周端下面５ｃと対向する、下の横框１５における見込部としての下面対向部１６ａと、下面対向部１６ａの室外側の端部から、収容される複層ガラス５の中央側に延出された、下の横框１５における室外側見付部としての下延出部１６ｂと、下面対向部１６ａの室内側の端部から、上下方向に延設された室内延設壁部１６ｃと、室内延設壁部１６ｃの上下端部にそれぞれ設けられ、下ガラス保持部材１７の嵌合片１７ａが嵌合される嵌合部１６ｄとを有している。下延出部１６ｂの先端側、即ち複層ガラス５の中央側であって複層ガラス５と対向する部位には、弾性を有するシール材３０が設けられている。
【００２９】
下ガラス保持部材１７は、外下框部１６に取り付けられて下延出部１６ｂ及び室内延設壁部１６ｃと間隔を隔てて対向する室内側下壁部１７ｂと、室内側下壁部１７ｂの上下方向における中央及び下端から室外側に突出されて外下框部１６の嵌合部１６ｄに嵌合する嵌合片１７ａとを有している。室内側下壁部１７ｂの先端側、即ち複層ガラス５の中央側であって複層ガラス５と対向する部位が、下の横框１５における室内側見付部に相当し、下の横框１５における室内側見付部の室外側には、弾性を有するシール材３０が設けられている。
【００３０】
外右框部２２は、図４に示すように、外右框部２２に嵌合される右ガラス保持部材２３とともに複層ガラス５の周端部分５ａを収容するガラス収容部９ａを構成し、収容された複層ガラス５の右側の外周端面としての周端側面５ｂと対向する、右の縦框２１における見込部としての側面対向部２２ａと、側面対向部２２ａの室外側の端部から、収容される複層ガラス５の中央側に延出された、右の縦框２１における室外側見付部としての右延出部２２ｂと、側面対向部２２ａの見込み方向における中央より室外側の位置から、複層ガラス５の面内方向外側の部位から当該面内方向外側に向かって延出する延出壁部２２ｃと、延出壁部２２ｃの外周側の端部から室内側に延出されて右ガラス保持部材２３の嵌合片２３ａが嵌合される嵌合壁部２２ｄと、を有している。側面対向部２２ａの延出壁部２２ｃより室内側の部位と、延出壁部２２ｃと、嵌合壁部２２ｄとにて右ガラス保持部材２３の嵌合片２３ａが挿入される挿入凹部２２ｅが形成されている。また、延出壁部２２ｃには、上端部側と下端部側とに、それぞれ脱落防止部材２５の挿入板部２５ｅが挿入されるスリット２２ｇが側面対向部２２ａに沿うように設けられており、嵌合壁部２２ｄには、嵌合片２３ａの突起２３ｂが係止される係止凹部２２ｆが設けられている。右延出部２２ｂの先端側、即ち複層ガラス５の中央側であって複層ガラス５と対向する部位には、弾性を有するシール材３０が設けられている。
【００３１】
右ガラス保持部材２３は、外右框部２２に取り付けられて右延出部２２ｂと間隔を隔てて対向する室内側右壁部２３ｃと、室内側右壁部２３ｃの外周側の端から室外側に、ほぼ直角に延出されて外右框部２２に嵌合される嵌合片２３ａとを有している。嵌合片２３ａには、外周側に突出させて外右框部２２の係止凹部２２ｆに係止される突起２３ｂが設けられている。室内側右壁部２３ｃの先端側、即ち複層ガラス５の中央側であって複層ガラス５と対向する部位が、右の縦框２１における室内側見付部に相当し、右の縦框２１における室内側見付部の室外側には、弾性を有するシール材３０が設けられている。
【００３２】
脱落防止部材２５は、アルミニウム製の部材であり、複層ガラス５の四隅に配置される。四隅に配置される４つの脱落防止部材２５のうち、複層ガラス５の左側又は右側にて上下に配置される２つの脱落防止部材２５は、上下が反転された対称の形状をなし、複層ガラス５の上側又は下側にて左右に配置される２つの脱落防止部材２５は、左右が反転された対称の形状をなしている。即ち、複層ガラス５の対角に配置される脱落防止部材２５は同一の形状をなしている。
【００３３】
脱落防止部材２５は、１枚の板材が折り曲げられて形成されており、複層ガラス５の右下隅に配置される脱落防止部材２５は、框体９の内周側にて、複層ガラス５の下に配置され複層ガラス５の周端下面５ｃと対向する下板部２５ａと、下板部２５ａの室内側の縁から上方に延出されて複層ガラス５の室内側の面と対向する下対向板部２５ｂと、下板部２５ａと繋がってほぼ直角に折り曲げられ複層ガラス５の右側に配置されて複層ガラス５の右側の周端側面５ｂと対向する右板部２５ｃと、右板部２５ｃの室内側の縁から積層ガラス５の中央側、即ち左側に延出されて複層ガラス５の室内側の面と対向する右対向板部２５ｄと、右対向板部２５ｄの右板部２５ｃより上方に延出された部位の右縁から室外側に延出されてほぼ直角をなし、外右框部２２に設けられた挿入凹部２２ｅに挿入される挿入板部２５ｅと、を有している。右板部２５ｃと挿入板部２５ｅとは、上下に位置するとともに、左右方向に外右框部２２が有する側面対向部２２ａの厚み分の間隔を隔てて、挿入板部２５ｅが右板部２５ｃの外周側に位置するように、右対向板部２５ｄがほぼ直角に折り曲げられている。
【００３４】
また、挿入板部２５ｅのほぼ中央には、挿入板部２５ｅの先端側（室外側）から曲げ元側（室内側）に向かって、漸次挿入板部２５ｅから離れるように曲げ起こされ係合曲部２５ｆが設けられている。この係合曲部２５ｆは、脱落防止部材２５の挿入板部２５ｅが外右框部２２に設けられた挿入凹部２２ｅに挿入されて、延出壁部２２ｃに設けられたスリット２２ｇに挿通されると、延出壁部２２ｃの室外側の面と係合して脱落防止部材２５が保持される部位である。このため、係合曲部２５ｆの先端は、左右方向におけるスリット２２ｇの幅より大きく挿入板部２５ｅから離れた位置に至るように曲げ起こされている。
【００３５】
脱落防止部材２５は、ビスなどの連結部材やカシメ手段などによって矩形状に連結された框本体１１の内周側に複層ガラス５が配置された状態で取り付けられる。例えば、複層ガラス５の右下隅に脱落防止部材２５を取り付ける場合には、図５に示すように、下板部２５ａを複層ガラス５の周端下面５ｃと外下框部１６の下面対向部１６ａとの間に、また、右板部２５ｃを複層ガラス５の周端側面５ｂと外右框部２２の側面対向部２２ａとの間に、それぞれ挿入しつつ挿入板部２５ｅを外右框部２２の挿入凹部２２ｅに挿入する。このとき、挿入板部２５ｅの先端側がスリット２２ｇを挿通し、挿入凹部２２ｅ内の延出壁部２２ｃより奥側に至る際に、曲げ起こされている係合曲部２５ｆが弾性変形して曲げ戻されて、係合曲部２５ｆの挿入板部２５ｅからの突出量がスリット２２ｇの幅となってスリット２２ｇを通過する。そして、係合曲部２５ｆが延出壁部２２ｃを通過すると係合曲部２５ｆの突出量が元に戻ることにより、脱落防止部材２５が外右框部２２に取り付けられる。
【００３６】
脱落防止部材２５を外右框部２２に取り付けた後に、右ガラス保持部材２３の嵌合片２３ａを外右框部２２の挿入凹部２２ｅに挿入し、嵌合片２３ａの突起２３ｂを係止凹部２２ｆにて係止して、脱落防止部材２５を覆うように右ガラス保持部材２３を外右框部２２に取り付ける。すなわち、脱落防止部材２５は、右ガラス保持部材２３が挿入されて嵌合される挿入凹部２２ｅに挿入されて、右ガラス保持部材２３より複層ガラス５側に配置される。
【００３７】
本実施形態の建具１によれば、複層ガラス５は、四隅にて金属製の外上框部１３、外下框部１６、外左框部１９、外右框部２２と、外左框部１９及び外右框部２２に取り付けられる金属製の脱落防止部材２５との間に介在される。例えば、複層ガラス５の右下隅では、外下框部１６及び外右框部２２と、これらと対向する、脱落防止部材２５の下対向板部２５ｂ及び右対向板部２５ｄとの間に複層ガラス５が介在される。このため、たとえ樹脂製の４本のガラス保持部材１４、１７、２０、２３が火炎等に晒されて溶融しても、複層ガラス５が脱落することを防止することが可能である。また、脱落防止部材２５は、ガラス収容部９ａの外側にて外左框部１９及び外右框部２２に取り付けられているので、複層ガラス５の周端部分５ａが収容されるガラス収容部９ａ内には、脱落防止部材２５と外左框部１９及び外右框部２２との取付部等の突出する部位は存在しない。このため、障子１０及び障子１０を備えた建具１の製造時、搬送時、施工時に複層ガラス５が移動することがあっても、複層ガラス５が突出部等と接触しないので、複層ガラス５が損傷し難い障子１０及び建具１を提供することが可能である。
【００３８】
また、複層ガラス５の周端部分５ａが収容されるガラス収容部９ａ内に脱落防止部材２５と外左框部１９及び外右框部２２との取付部等の突出する部位が存在しないので、ガラス収容部９ａ及びガラス収容部９ａを有する上下の横框１２、１５及び左右の縦框１８、２１のサイズを小さくすることが可能である。このため、障子１０のサイズを小さくしたり、同一サイズの障子１０において複層ガラス５をより広く露出させることが可能である。
【００３９】
また、外左框部１９及び外右框部２２にて形成され、複層ガラス５の周端側面５ｂと対向する側面対向部２２ａ（外左框部１９の側面対向部は不図示）の、複層ガラス５の面内方向における外側の部位から当該面内方向における外側に向かって延出された延出壁部２２ｃ（外左框部１９の延出壁部は不図示）に、脱落防止部材２５が係合されているので、例えば、脱落防止部材２５と外左框部１９及び外右框部２２とがフック部のような係合片により延出壁部２２ｃに係合されていたとしてもフック部等の係合片がガラス収容部９ａに突出する虞はない。このため、ガラス収容部９ａに何ら突出させることなく脱落防止部材２５を外左框部１９及び外右框部２２に取り付けることが可能である。
【００４０】
また、脱落防止部材２５は、左ガラス保持部材１７及び右ガラス保持部材２３が挿入されて嵌合される挿入凹部２２ｅ（外左框部１９の挿入凹部は不図示）に挿入されて、左ガラス保持部材１７及び右ガラス保持部材２３より複層ガラス５側に配置されているので、脱落防止部材２５は、挿入凹部２２ｅにて外左框部１９及び外右框部２２と左ガラス保持部材１７及び右ガラス保持部材２３とに狭持される。このため、脱落防止部材２５を框本体１１の外左框部１９及び外右框部２２に安定した状態で取り付けることが可能である。
【００４１】
また、脱落防止部材２５は、当該脱落防止部材２５が挿入される挿入凹部２２ｅを構成する延出壁部２２ｃに係合されるので、外左框部１９及び外右框部２２に脱落防止部材２５を取り付けるための部位を別途設ける必要がなく、左ガラス保持部材１７及び右ガラス保持部材２３が嵌合される挿入凹部２２ｅを利用して外左框部１９及び外右框部２２に脱落防止部材２５を取り付けることが可能である。このため、外左框部１９及び外右框部２２の形状をより簡単な形状とすることが可能であるとともに、サイズもより小さく抑えることが可能である。
【００４２】
上記実施形態においては、脱落防止部材２５の挿入板部２５ｅを挿入凹部２２ｅに挿入してスリット２２ｇに挿通し、係合曲部２５ｆを延出壁部２２ｃに係合させて脱落防止部材２５を框本体１１に取り付ける例について説明したが、これに限るものではない。例えば、延出壁部を左右方向に広く形成し、挿入板部の先端側を延出壁部と対面するように折り曲げて形成し、挿入板部の先端側を延出壁部にビスなどの固定具により固定しても良い。
【００４３】
上記実施形態においては、面材を複層ガラス５として説明したが、これに限るものではなく、例えば、単板のガラスや耐熱樹脂、金属板等であっても構わない。
【００４４】
また、上記実施形態においては、非金属製収容部材を樹脂製としたが、これに限らず木製等でも構わない。
【００４５】
上記実施形態では、引き違い窓用の建具１を例に挙げて説明したが、面材が框の金属製の部位と金属製の面材狭持部材とにより保持される構造でれば、たとえば、開き窓、辷り出し窓及びＦＩＸ窓など、建具の種類は何れの形態であっても構わない。なお、ＦＩＸ窓の場合では、躯体に固定される開口枠が保持部材となり、その開口枠内に面材を設ける構成となる。
【００４６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４７】
１  建具、３  枠体、５  複層ガラス、５ａ  周端部分、５ｂ  周端側面５ｂ、
５ｃ  周端下面、９框体、９ａ  ガラス収容部、１０  障子、１１  框本体、
１２  上の横框、１３  外上框部、１４  上ガラス保持部材、１５  下の横框、
１６  外下框部、１６ａ  下面対向部、１６ｂ  下延出部、１７  下ガラス保持部材、
１７ｂ  室内側下壁部、１８  左の縦框、１９  外左框部、２０  左ガラス保持部材、
２１  右の縦框、２２  外右框部、２２ａ  側面対向部、２２ｂ  右延出部、
２２ｃ  延出壁部、２３  右ガラス保持部材、２３ａ  嵌合片、２３ｃ  室内側右壁部、２５  脱落防止部材、２５ｅ  挿入板部、２５ｆ  係合曲部
【図１】
2012082584.tif 000003
【図２】
2012082584.tif 000004
【図３】
2012082584.tif 000005
【図４】
2012082584.tif 000006
【図５】
2012082584.tif 000007
【図６】
2012082584.tif 000008